(57)【特許請求の範囲】
【請求項１】
樹脂管の一部を押し潰して通気を遮断する樹脂管遮断工具であって、
固定座（２０）と、
一方の面が凸曲面（２１ａ）をなす締め付け座ブロック（２１）と、
前記固定座（２０）と前記締め付け座ブロック（２１）の凸曲面の反対側の平面（２１ｂ）との間に設けられ、且つ両者間の間隔を拡張する方向に押し開くことができる押圧手段（２２）と、
両端を前記固定座（２０）に着脱可能に固定されるワイヤロープ（２３）と、を具備し、
前記ワイヤロープ（２３）を前記固定座（２０）から前記締め付け座ブロック（２１）の両端を通って凸曲面（２１ａ）上を通ることができるように構成し、前記締め付け座ブロックの前記凸曲面と前記ワイヤロープとの間に樹脂管を挟むようにしたことを特徴とする樹脂管遮断工具。
【請求項２】
前記押圧手段（２２）が、油圧シリンダーであることを特徴とする請求項１記載の樹脂管遮断工具。
【請求項３】
前記押圧手段（２２）が、ねじを用いたねじ機構であることを特徴とする請求項１記載の樹脂管遮断工具。
【請求項４】
樹脂管の一部を押し潰して通気を遮断する樹脂管遮断工具であって、
一方の面が凸曲面（３１ａ）をなす締め付け座ブロック（３１）と、
前記締め付け座ブロック（３１）の凸曲面（３１ａ）の反対側に固定された平板（３２）上に設けられたドラム（３４）と、
前記ドラム（３４）を回転駆動するドラム駆動手段（３５）と、
前記締め付け座ブロック（３１）の一端に着脱自在に固定され凸曲面側を経由して前記ドラム（３４）に他端を固定したワイヤロープ（３３）とを具備し、
前記締め付け座ブロック（３１）の凸曲面（３１ａ）とワイヤロープ（３３）との間に樹脂管を挟みドラム（３４）によりワイヤロープ（３３）を巻き上げることにより樹脂管の一部を押し潰して通気を遮断することを特徴とする樹脂管遮断工具。
【請求項５】
前記ドラム（３４）を回転駆動するドラム駆動手段（３５）は、電気モータ又は油圧モータ（４２）であることを特徴とする請求項４記載の樹脂管遮断工具。
【請求項６】
前記ドラム（３４）を回転駆動するドラム駆動手段（３５）は、ドラム（３４）に固定された平歯車（４５）と、該平歯車（４５）に噛合うラック（４７）と、該ラック（４７）を駆動するエアシリンダー又は油圧シリンダー（４４）とよりなることを特徴とする請求項４記載の樹脂管遮断工具。
【発明の詳細な説明】
【０００１】
【発明の属する技術分野】
本発明は樹脂管遮断工具に関する。詳しくは、ガス管に使用されて地中に埋設されている樹脂管が、他工事等により破損したような場合、噴出するガスを緊急に止めるために使用する樹脂管遮断工具に関する。
【０００２】
【従来の技術】
従来、図７のように地中に埋設されているガス配管用樹脂管１が、破損して、破損部２よりガス３が噴出している場合、ガスの噴出を止めると同時に、空気の侵入を防ぐ必要があるため、図の如く、樹脂管１を破損個所の前後２個所Ａ，Ｂで遮断する必要がある。図８はその遮断に使用する樹脂管遮断工具の１例であり、（ａ）は正面図、（ｂ）は側面図、（ｃ）は上面図である。この樹脂管遮断工具は、左右にスペーサー４を有するスライドバー５と、該スライドバー５を上下に案内する２本のガイドバー６，６′と、該ガイドバー６，６′の一端に着脱可能に固定されたスクイズバー７と、該ガイドバー６，６′の他端を固定した固定座８と、該固定座８に設けられて前記スライドバー５を移動させる送りねじ９と、前記固定座８に設けられた１対の位置決めプレート１０等を具備して構成されている。
【０００３】
そして、スクイズバー７と位置決めプレート１０との間に樹脂管を位置決めして挟み込み、送りねじ９をラチエットレンチ１１により回動してスライドバー５をスクイズバー７の方向に押圧移動させることにより、スライドバー５により樹脂管をスクイズバー７に押圧して該部を押し潰して閉塞させるのである。なお、符号１２は、ラチエットレンチ１１を回動する時の反力に対向する反力受け棒であり、１３は工具支持台である。また、前記ラチエットレンチ１１の代わりにハンドルを用いることもある。
【０００４】
図９は従来の樹脂管遮断工具の他の例を示す図であり、（ａ）は正面図、（ｂ）は側面図である。この樹脂管遮断工具は、左右にスペーサー４を有するスライドバー５と、該スライドバー５を上下に案内する２本のガイドバー６，６′と、該ガイドバー６，６′の一端に着脱可能に固定されたスクイズバー７と、該ガイドバー６，６′の他端を固定した固定座８と、該固定座８に設けられた１対の位置決めプレート１０等を具備していることは、図８で説明した従来例と同様であり、異なるところは、従来の送りねじ９の代わりにジャッキ１４を用いたことである。従って、その使用方法も図８で説明した従来例と同様である。
【０００５】
【発明が解決しようとする課題】
上記のような従来の樹脂管遮断工具においては、工具を埋設された樹脂管に取付けるためには、工具より取外したスクイズバー７を樹脂管の下方を通した後、工具に取付ける必要があるため、作業用のスペースを確保するための土砂の掘削量が多くなる。また、工具の重量が重く、且つ、その操作も厄介である等の問題があった。
【０００６】
本発明は、上記従来の問題点に鑑み、埋設された樹脂管に工具を取付けるための土砂の掘削量が少なく、また、工具の重量が軽く、さらに、操作が容易である樹脂管遮断工具を実現することを目的とする。
【０００７】
【課題を解決するための手段】
上記目的を達成するため、本発明の請求項１の樹脂管遮断工具は、樹脂管の一部を押し潰して通気を遮断する樹脂管遮断工具であって、固定座２０と、一方の面が凸曲面２１ａをなす締め付け座ブロック２１と、前記固定座２０と前記締め付け座ブロック２１の凸曲面の反対側の平面２１ｂとの間に設けられ、且つ両者間の間隔を拡張する方向に押し開くことができる押圧手段２２と、両端を前記固定座２０に着脱可能に固定されるワイヤロープ２３と、を具備し、前記ワイヤロープ２３を前記固定座２０から前記締め付け座ブロック２１の両端を通って凸曲面２１ａ上を通ることができるように構成したことを特徴とする。また、請求項２は、前記押圧手段２２が、油圧シリンダーであることを特徴とする。また、請求項３は、前記押圧手段２２が、ねじを用いたねじ機構であることを特徴とする。
【０００８】
また、請求項４は、樹脂管の一部を押し潰して通気を遮断する樹脂管遮断工具であって、一方の面が凸曲面３１ａをなす締め付け座ブロック３１と、前記締め付け座ブロック３１の凸曲面３１ａの反対側に固定された平板３２上に設けられたドラム３４と、前記ドラム３４を回転駆動するドラム駆動手段３５と、前記締め付け座ブロック３１の一端に着脱自在に固定され凸曲面側を経由して前記ドラム３４に他端を固定したワイヤロープ３３とを具備し、前記締め付け座ブロック３１の凸曲面３１ａとワイヤロープ３３との間に樹脂管を挟みドラム３４によりワイヤロープ３３を巻き上げることにより樹脂管の一部を押し潰して通気を遮断することを特徴とする。また、請求項５は、前記ドラム３４を回転駆動するドラム駆動手段３５は、電気モータ又は油圧モータ４２であることを特徴とする。また、請求項６は、前記ドラム３４を回転駆動するドラム駆動手段３５は、ドラム３４に固定された平歯車４５と、該平歯車４５に噛合うラック４７と、該ラック４７を駆動するエアシリンダー又は油圧シリンダー４４であることを特徴とする。
【０００９】
この構成を採ることのより、埋設された樹脂管に工具を取付けるための土砂の掘削量が少なく、また、工具の重量が軽く、さらに、操作が容易である樹脂管遮断工具が得られる。
【００１０】
【発明の実施の形態】
図１は本発明の樹脂管遮断工具の第１の実施の形態を示す図で、（ａ）は正面図、（ｂ）は側面図である。同図において、符号２０は固定座、２１は締め付け座ブロック、２２は押圧手段、２３はワイヤロープである。そして、固定座２０は断面矩形のブロックである。また、締め付け座ブロック２１は、ブロック状で、一方の面は凸曲面２１ａ、例えば円弧状の面に形成され、該凸曲面２１ａの反対側の面は平面２１ｂとなっている。
【００１１】
そして、固定座２０と、締め付け座ブロック２１の平面２１ｂとの間に両者の間隔を広げることができる押圧手段２２として油圧シリンダーが設けられている。また、固定座２０にはワイヤロープ２３の両端がピン２４により着脱可能に取付けられている。そして、該ワイヤロープ２３は締め付け座ブロック２１の両端を通り、該締め付け座ブロック２１の凸曲面２１ａに接して配置された遮断すべき樹脂管２５を跨ぐことができるようになっている。なお、締め付け座ブロック２１の両端のワイヤロープ２３が接する部分にはローラー２６を設けることが好ましい。
【００１２】
このように構成された本第１の実施の形態は、図２に示すようにして用いられる。先ず、(ａ)（ｂ）図に示すように、ガスを噴出している樹脂管２５の近傍の土砂２７を掘削除去する。次いで、(ｃ)図に示すように、ワイヤロープ２３の両端部を固定座２０から外して該ワイヤロープ２３を樹脂管２５の下方を通す。次いで(ｄ)図の如く、締め付け座ブロック２１の凸曲面２１ａを樹脂管２５の上に載せ、ワイヤロープ２３の両端を固定座２０に固定する。次いで(ｅ)図の如く、押圧手段２２としての油圧シリンダーを作動させ、固定座２０と締め付け座ブロック２１との間隔を広げることにより、ワイヤロープ２３を引っ張り、樹脂管２５を押し潰しガスの流通を遮断することができる。
【００１３】
このように本実施の形態は、図８及び図９で説明した従来の樹脂管遮断工具に比し構造が簡単であるため、重量が軽くなり、また操作も、従来の如くスクイズバーの取り外し、取り付けの面倒な作業を必要としないため、極めて簡単となる。また図３の如く遮断すべき樹脂管２５の近傍に他の管等の障害物２８があり、従来の樹脂管遮断工具２９では(ａ)図の如く使用できない場合でも、本実施の形態の樹脂管遮断工具３０では(ｂ)図の如く使用可能である。なお、本実施の形態においては、押圧手段２２として油圧シリンダーを用いたが、油圧シリンダーの代わりに図８、９で説明した従来例の如き、ねじ機構またはジャッキを用いることもできる。
【００１４】
図４は本発明の樹脂管遮断工具の第２の実施の形態を樹脂管と共に示す図である。本実施の形態は同図に示すように、締め付け座ブロック３１と、ワイヤロープ３３と、ドラム３４と、ドラム駆動手段３５とから構成されている。そして、締め付け座ブロック３１は一方の辺が凸曲面３１ａをなした板状で、該凸曲面の反対面には平板３２が固定されている。そして該平板３２にはドラム３４を支持する軸受部材３６が固定され、該軸受部材３６によりドラム３４が回転可能に支持されている。
【００１５】
また、締め付け座ブロック３１の一端には、着脱可能なピン３７が設けられ、他方の端部にはワイヤロープ３３を案内する２個のローラー３８，３９が軸４０，４１により軸支されている。また、ワイヤロープ３３は一端を前記ピン３７により着脱自在に支持され、他端は締め付け座ブロック３１の凸曲面３１ａ側を経由し、さらにローラー３８，３９を経由してドラム３４に至り該ドラム３４に固定されている。
また、ドラム駆動手段３５は、電気モータ又は油圧モータ４２を用い、その出力軸を直接又は減速機を介してドラム３４に固定している。
【００１６】
このように構成された本第２の実施の形態の作用を図５を用いて次に説明する。先ず（ａ）図の如く、締め付け座ブロック３１よりピン３７を抜き取りワイヤロープ３３の一端３３ａを自由にしておく。次に（ｂ）図の如く、遮断すべき樹脂管４３に締め付け座ブロック３１の凸曲面３１ａを当接させた後、前記自由にしたワイヤロープ３３の一端３３ａを樹脂管４３の外側を回してピン３７により締め付け座ブロック３１の一端に固定する。
【００１７】
次いで、電気モータ又は油圧モータ４２に電流または油圧を供給して回転させ、ドラム３４を矢印Ａ方向に回転駆動する。これにより、ワイヤロープ３３はローラー３８，３９を経由してドラム３４に巻き取られる。これにより樹脂管４３はワイヤロープ３３により締め付け座ブロック３１の凸曲面３１ａに押しつけられ、次第に偏平に押し潰される。そして（ｃ）図の如く樹脂管４３は完全に押し潰されて通気を遮断されることになる。このような本第２の実施の形態によれば、締め付け座ブロック３１の下方には、ワイヤロープ３３が有るのみであるので、通気を遮断すべき樹脂管４３の周囲の土砂の掘削量を最小限に留めることができる。
【００１８】
図６は本発明の樹脂管遮断工具の第３の実施の形態を示す図である。本実施の形態は、前記第２の実施の形態とはドラム駆動手段が異なるのみであり、他の構成は第２の実施の形態と同様である。よってドラム駆動手段のみを説明する。図６において、符号３４はドラム、４４はエアシリンダー又は油圧シリンダーである。そしてドラム３４には平歯車４５が固定されている。また、エアシリンダー又は油圧シリンダー４４のピストンロッド４６にはラック４７が取り付けられ、該ラック４７は前記ドラム３４に設けられた平歯車４５に噛み合わされている。
【００１９】
このように構成された本第３の実施の形態は前記第２の実施の形態とはドラム駆動手段が異なるのみで他は同様であるので、エアシリンダー又は油圧シリンダー４４を作動させれば、第２の実施の形態と同様に樹脂管を遮断することができる。また、効果も第２の実施の形態と同様である。
【００２０】
【発明の効果】
本発明の樹脂管遮断工具に依れば、従来の樹脂管遮断工具に比し構造が簡単であるため、重量が軽くなり、また操作も、従来の如くスクイズバーの取り外し、取り付けの面倒な作業の代わりに、ワイヤロープのみを樹脂管の下を通すのみであるため極めて簡単となる。さらに樹脂管の下を通すのはワイヤロープのみであるので、土砂の掘削量も少なくて済むという利点がある。
【図面の簡単な説明】
【図１】本発明の樹脂管遮断工具の第１の実施の形態を樹脂管と共に示す図で、（ａ）は正面図、（ｂ）は側面図である。
【図２】本発明の樹脂管遮断工具の第１の実施の形態の作用を説明するための図である。
【図３】本発明の樹脂管遮断工具の第１の実施の形態と従来の樹脂管遮断工具の障害物に対する状態を示す図である。
【図４】本発明の樹脂管遮断工具の第２の実施の形態を樹脂管と共に示す図で、（ａ）は正面図、（ｂ）は側面図である。
【図５】本発明の樹脂管遮断工具の第２の実施の形態の作用を説明するための図である。
【図６】本発明の樹脂管遮断工具の第３の実施の形態を樹脂管と共に示す図である。
【図７】地中に埋設されているガス配管用樹脂管の破損個所の前後２個所で遮断する必要を説明するための図である。
【図８】従来の樹脂管遮断工具の１例を示す図で、（ａ）は正面図、（ｂ）は側面図、（ｃ）は上面図である。
【図９】従来の樹脂管遮断工具の他の例を示す図で、（ａ）は正面図、（ｂ）は側面図である。
【符号の説明】
２０…固定座
２１，３１…締め付け座ブロック
２１ａ，３１ａ…凸曲面
２１ｂ…平面
２２…押圧手段
２３，３３…ワイヤロープ
２４，３７…ピン
２５，４３…樹脂管
２６，３８，３９…ローラー
３２…平板
３４…ドラム
３５…ドラム駆動手段
３６…軸受部材
４０，４１…軸
４２…電気モータ又は油圧モータ
４４…エアシリンダー又は油圧シリンダー
４５…平歯車
４６…ピストンロッド
４７…ラック
４８…ラックガイド
【図１】
0004179791.tif 000002
【図２】
0004179791.tif 000003
【図３】
0004179791.tif 000004
【図４】
0004179791.tif 000005
【図５】
0004179791.tif 000006
【図６】
0004179791.tif 000007
【図７】
0004179791.tif 000008
【図８】
0004179791.tif 000009
【図９】
0004179791.tif 000010